(57)【要約】      （修正有）【課題】特定の香料を使用することで長時間の検索にも期待が持て、付着した色が現れるまでに数分の時間があることから犯行現場での犯人の気持ちを動揺させ興奮することもないので現場周辺に居合わせた関係者以外の者に対する危害も起こることはない。【解決手段】香料（匂い）染料（着色）の混合剤が使用され、この混合剤は、圧縮空気、ガス等に依って目的の物（者）に噴射され犯人又は紙幣に付着する。付着した混合物は長時間残る。【選択図】図３
0003114260.tif 000002
【実用新案登録請求の範囲】
【請求項１】
防犯機器（超防）は、香料（匂い）と染料（着色）の混合材を使用する。この香料（匂い）と染料（着色）の混合材を空気その他ガス等の圧力に依って噴射する。犯人に対し着色させる。又ＡＴＭ現金自動支払機等に納めてある紙幣にも噴射し着香着色する。
【請求項２】
超防は、銀行等の金融機関及びＡＴＭ現金自動支払機から、一般家庭のドアー窓又、自動車等を犯罪から守るために幅広い応用が可能である。設置場所使用目的に依り構造は異なる。
【請求項３】
現金等の搬送用トランクには、電波受信機を香料（匂い）と染料（着色）に併用する。非常時には外部より信号を送り、これを受信すると併用してある香料（匂い）と染料（着色）の混合材が可動して紙幣等に着香着色の効果を現しトランク内の物は後々の使用は不可能となる。
【請求項４】
水洗剤等で洗っても消えることはない。香料（匂い）と染料（着色）の混合材の一つ染料（着色）は噴射付着数分後に調製してある。これは犯行現場での犯罪者の気持ちを変に高めることのないようにするためである。
【請求項５】
香料（匂い）と染料（着色）を消すためには、特別に考案した消臭消色材を製造している。犯罪者等一般には容易に入手できないよう特定の所以外には消臭消色材は置かないし、入手には特別の許可を必要とする。
【考案の詳細な説明】
【０００１】
【考案の属する技術の分野】
この考案は、犯罪を抑止し犯罪者を無くするために考案したもので、銀行等の金融機関又、コンビニエンスストアーのような従業員（店員）も少なく２４時間の営業を行っている所などに設置することに依って身体を守る手段の一つとし又、現金等の強奪などを抑止するために大いに役立つ機器である。この機器は請求項２にあるように一般家庭から自動車の盗難防止にと幅広い応用が出来る。
【０００２】
【従来の技術】
従来の技術には、犯罪を抑止することを目的とした機器は少ないと考えられる。ＡＴＭ現金自動支払機の設置してある無人の所では、現在自動通報に依って、係員、警察等が犯行現場に着いた時には、すでに犯行後、犯人も逃走した後となる。このようなことから現在は、何かが不足している、何かが足りないという技術の機器が大半である。
【０００３】
【考案が解決しようとする課題】
従来の技術には、犯行後、犯人を捜すための糸口が残されていない、見えない事件も多く、未だ逮捕に至ってない事件もあります。何か一つ現在の機器に追加することが出来ないか、どうすれば犯人が糸口を残すか、どうすれば犯人に糸口をあたえることが出来るか、犯罪を抑止するためにはどうすればよいかが課題である。
【０００４】
従来の技術には、警察犬への負担を軽くし、長時間の捜索にも耐えられる工夫は少ない、あるいは無いのではと思われる。捜索を途中で打ち切ることを余儀なくされることも多々あると考えられる。
【０００５】
従来の技術には、天候等にも左右され、昨日は良かったが今はまったく捜索出来ないという場合も多いにあるのではと思われる。科学の力を全て考えることよりも、今一度原点に返って捜索法について考えてはどうか。
【０００６】
【課題を解決するための手段】
上記のことを達成するためには、まず考えを原点に返してみることである。人間の目、人間の考え、これは個人の差もあり、その時々に依り、思い付きにしてもずい分異なると思います。警察犬にしても訓練の仕方に依って、ずい分差もあると考えられる。このような差を無くするため又、行動等を統一するためには，下記のことが課題の解決に結びつく。
【０００７】
ここに提案する超防という犯罪を抑止するため又容易に犯人の捜索、発見逮捕する機器について説明したい。
この超防という機器は現在までにすでにあっても良い、使用されていてもおかしくない機器ではないかと思う。二度三度と同じ犯罪を起こす者もずい分多いが、この超防という機器を考案したことに依り、犯罪を抑止するために大いに期待出来ると考えられる。
【０００８】
この機器超防は、香料（匂い）染料（着色）の混合材が使用される。この混合材は請求項１に示すように、圧縮空気、ガス等に依って目的の物（者）に噴射するのである。噴射に依って犯人又は紙幣に付着する。付着した混合材は長時間残る香料（匂い）染料に依って付着した色は請求項４にあるように、洗っても消すことは不可能である。
【０００９】
この機器超防は、請求項２にあるように、設置する場所に依って構造及び操作も異なる。だが、原理は全て同じである。銀行等の出入口に設置した場合、犯行後、犯人が逃走する。出入り口を通過した時に、カウンターに設けてあるリモートコントローラーに依って機器の操作をする。犯人には香料（匂い）と染料（着色）の混合材が噴射され付着する。付着した混合材は付着して数分後に色が現れる。
【００１０】
銀行等のカウンターには、香料（匂い）染料（着色）の混合材を組み込んだ模造札束を常時置いてあり、犯行があった時、犯人の求めに依ってバック等に札束を入れる時、模造札束の一部を指で押し、これをバックに入れる。混合材はゆっくりと流れ出す。犯人逃走中バックの中の札束等に香料（匂い）と染料（着色）が広がるので使用は不可能となる。請求項４に示してある。
【００１１】
ここまで記した手段等は一部の設置例であるが、他には請求項２に記してあるように幅広い応用が可能である。まず混合材の一部である香料のあることに依って、捜索の条件によらず、警察犬での活動の期待は大である。又、捜索の係員には染料に依って付着した色を見ることが出来、今までにない成果を見ることが出来る。
【００１２】
超防の使用に依って、例えば、目的外の物（人）に付着した場合は早々の消臭消色の必要が生じます。この場合には特別に製造された消臭消色材を使用しなければいけない。警察等特別に保管してある所より持って来ることになる。ここに記した消臭消色材は一般には販売はしていない、販売してはいけない。犯罪者に渡ることのないようにする必要がある。
【００１３】
【考案の実施の形態】
ＡＴＭ現金自動支払機に超防を設置した時の実施の形態を説明する。  ＡＴＭ現金自動支払機の中に納めてある紙幣にもっとも近い個所へ香料（匂い）染料（着色）の混合材を細いホース、パイプ等に依って噴射口を付ける。この混合材の噴射は、ＡＴＭ現金自動支払機が人的に動かす（傾斜及び移動）時に超防の中に組み込んである、振子の動きに依って混合材を噴射する。超防は一台のＡＴＭに１〜２個設置する。設置したＡＴＭを移動する場合等には振子はロックするようにしてあり、混合材を噴射することはない。
【００１４】
【考案の効果】
この考案は、上記に多々述べてきたことから犯罪者を無くする目的も犯行を抑止することも出来ると考える。犯行が起きた場合にも、今までにない効果が期待出来る。特定の香料を使用することで長時間の捜索にも期待が持てる。
又、付着した色が現れるまでに数分の時間があることから犯行現場での犯人の気持ちを動揺させ興奮することもないので現場周辺に居合わせた関係者以外の者に対する危害も起こることはないと思われ安心である。犯人は逃走途中に異変に気付く。このようなことから二度三度と同一犯人に依っての犯行は抑止されることもあり効果は大であると考えられる。
【図面の簡単な説明】
【図１】正面（表）から見た図面である。
【図２】正面（表）より左側面の図及び右側面見る図である。
【図３】正面斜め左より見た立体図面である。
【符号の説明】
１  レバー
２  滑車
３  滑車台
４  振子アーム
５  ボンベ
６  振子
７  振子ガードレール
８  振子ロック部
９  ピン
１０  スプリング
１１  ノズル口
１２  ノズル
１３  ボンベ固定バンド
図面はＡＴＭ現金自動支払機に設置する超防である。この現金自動支払機に異状が発生した場合（６）振子及び（４）振子アームが左右に動く。アームの動きに連動し（２）滑車に掛けてあるロープも左右に動く。これに依ってロープに固定してある（１）レバーも左右に動く。これに依って（９）ピンが外れて下に落ちる。このピンには（１０）スプリングが付いている。落ちたピンに依って（１２）ノズルが押され（１１）ノズル口より香料（匂い）と染料（着色）の混合材が噴射される。これらの動作に依りＡＴＭ現金自動支払機の中に納めてある紙幣は着香着色されて使用不可能となる。大災害（震災）のどでＡＴＭ現金自動支払機が傾く等の場合には人的なものでなくても超防が可動する場合は有るが、このような事故以外での自然可動はない。
【図１】
0003114260.tif 000003
【図２】
0003114260.tif 000004
【図３】
0003114260.tif 000005
【手続補正書】
【提出日】平成15年9月17日(2003.9.17)
【手続補正１】
【補正対象書類名】明細書
【補正対象項目名】実用新案登録請求の範囲
【補正方法】変更
【補正の内容】
【実用新案登録請求の範囲】
【請求項１】
防犯機器超防の香料は、匂い染料は着色の混合材を高圧縮用ボンベにつめた物を振子の移動に依って高圧縮ボンベのノズルを押し、ボンベ内容材を噴射する防犯機器超防である。
【請求項２】
超防は、リモートコントローラーワイヤーテコ等に依って高圧縮ボンベを始動開封させる組み合わせで多用途の使用が可能な防犯機器超防である。
【請求項３】
重要書類、物品、現金搬送用トランク内に電波受信機と高圧縮ボンベの組み合わせに依って外部からの電波を受信、高圧縮ボンベを開封、同時にブザーを鳴らす防犯機器超防である。
【請求項４】
高圧縮ボンベにつめてある香料染料は一般に販売している洗剤等では消すことは不可能である。特別に調製してある物を使用している防犯機器超防である。
【請求項５】
高圧縮ボンベにつめてある香料染料を消す為には、特別に調製してある防犯機器用の消臭消色を別途用品としている防犯機器超防である。
【手続補正書】
【提出日】平成16年1月9日(2004.1.9)
【手続補正１】
【補正対象書類名】明細書
【補正対象項目名】実用新案登録請求の範囲
【補正方法】変更
【補正の内容】
【実用新案登録請求の範囲】
【請求項１】
防犯機器超防の香料は、匂い染料は着色の混合材を高圧縮用ボンベにつめた物を振子の移動に依って高圧縮ボンベのノズルを押し、ボンベ内容材を噴射する防犯機器超防。
【請求項２】
超防は、リモートコントローラーワイヤーテコ等に依って高圧縮ボンベを始動開封させる組み合わせで多用途の使用が可能な防犯機器超防。
【請求項３】
重要書類、物品、現金搬送用トランク内に電波受信機と高圧縮ボンベの組み合わせに依って外部からの電波を受信、高圧縮ボンベを開封、同時にブザーを鳴らす防犯機器超防。
【請求項４】
高圧縮ボンベにつめてある香料染料は一般に販売している洗剤等では消すことは不可能である、犯行後に犯人であることの証拠として残すように調製してある物を使用している防犯機器超防。
【請求項５】
高圧縮ボンベにつめてある香料染料を消す為には、特別に調製してある防犯機器用の消臭消色を別途用品としている防犯機器超防。
【手続補正書】
【提出日】平成16年4月26日(2004.4.26)
【手続補正１】
【補正対象書類名】明細書
【補正対象項目名】実用新案登録請求の範囲
【補正方法】変更
【補正の内容】
【実用新案登録請求の範囲】
【請求項１】
防犯機器超防の香料は、匂い染料は着色の混合材を高圧縮用ボンベにつめた物を振子の移動に依って高圧縮ボンベのノズルを押し、ボンベ内容材を噴射する防犯機器超防。
【請求項２】
超防は、リモートコントローラーワイヤーテコ等に依って高圧縮ボンベを始動開封させる組み合わせで多用途の使用が可能な防犯機器超防。
【請求項３】
重要書類、物品、現金搬送用トランク内に電波受信機と高圧縮ボンベの組み合わせに依って外部からの電波を受信、高圧縮ボンベを開封、同時にブザーを鳴らす防犯機器超防。
【手続補正書】
【提出日】平成16年9月3日(2004.9.3)
【手続補正１】
【補正対象書類名】明細書
【補正対象項目名】実用新案登録請求の範囲
【補正方法】変更
【補正の内容】
【実用新案登録請求の範囲】
【請求項１】
香料と染料、夜光材の混合材を高圧縮ボンベにつめ、高圧縮ボンベのノズルを押して、高圧縮ボンベ内の混合材を噴射することを特徴とする防犯機器超防
【請求項２】
高圧縮ボンベを始動開封させる組合せで多用途に使用が可能な防犯機器超防
【請求項３】
トランク内の重要物品に対し、電波受信機と高圧縮ボンベの組合せに外部から電波を送りこれを受信し、高圧縮ボンベを開封し、同時に警報ブザーを鳴らす防犯機器超防
【手続補正書】
【提出日】平成17年1月28日(2005.1.28)
【手続補正２】
【補正対象書類名】明細書
【補正対象項目名】実用新案登録請求の範囲
【補正方法】変更
【補正の内容】
【実用新案登録請求の範囲】
【請求項１】
香料と染料、夜光材の混合材をつめた高圧縮ボンベと、押すことによって高圧縮ボンベ内の混合剤を噴射するノズルとからなる防犯機器。
【請求項２】
請求項１記載の高圧縮ボンベ及びノズルと電波受信機と電波を受信することにより高圧縮ボンベを開封し、同時に警報ブザーを鳴らす装置を備えた防犯機器。